(57)【要約】【課題】走行枠体を走行させると、進行方向先端部の滑走部材は作物の条間を滑走すると共に条間ロータは田土の抵抗を受けて自転して作物の条間に存在する雑草を除草することになり、かつ、滑走部材と条間ロータとの中間位置の株間ロータも田土の抵抗を受けて相互に異方向に自転して上記作物の株間に存在する雑草を除草することになり、このため、作物の条間及び株間に存在する雑草を除去することができ、良好な中耕除草作業を行うことができる。【解決手段】走行枠体１の進行方向先端部に作物Ｗの条間Ｂを滑走可能な滑走部材２を配置し、滑走部材の進行方向後方位置に作物の条間に存在する雑草Ｆを除草可能な条間ロータ３を回転自在に配置してなり、滑走部材と条間ロータとの中間位置に作物の株間Ｄに存在する雑草を除草可能な株間ロータ４を配設してなる。【選択図】図１
2007089485.tif 000002
【特許請求の範囲】
【請求項１】
走行枠体の進行方向先端部に作物の条間を滑走可能な滑走部材を配置し、該滑走部材の進行方向後方位置に作物の条間に存在する雑草を除草可能な条間ロータを回転自在に配置してなり、上記滑走部材と上記条間ロータとの中間位置に上記作物の株間に存在する雑草を除草可能な株間ロータを配設してなることを特徴とする中耕除草機。
【請求項２】
上記株間ロータは上記作物を境にして対向配置されていると共に該作物を境にして互いにハ状をなす縦軸の廻りにそれぞれ旋回自在に対設されていることを特徴とする請求項１記載の中耕除草機。
【請求項３】
上記各株間ロータは、上記縦軸の廻りに旋回するロータ材を設け、該ローター材に放射状に複数個の羽根材を突設し、該複数個の羽根材の先端部間に弾性をもつ弾性帯材を多角環状に囲繞架設してなることを特徴とする請求項２記載の中耕除草機。
【請求項４】
上記弾性帯体は、ゴム帯板からなることを特徴とする請求項３記載の中耕除草機。
【請求項５】
上記条間ロータは、横軸の廻りに回転する多角筒体を設け、該多角筒体の周面に開口部を形成すると共に複数個の回転羽根材を突設してなることを特徴とする請求項１〜４のいずれか１項に記載の中耕除草機。
【発明の詳細な説明】
【技術分野】
【０００１】
本発明は例えば水田の稲等の作物の条間並びに株間の土を中耕することで除草を行う中耕除草機に関するものである。
【背景技術】
【０００２】
従来、この種の中耕除草機として、手押し用の把柄体やトラクタ等の走行機体に取り付けられた器体等の走行枠体の進行方向先端部に滑走部材を配置し、この滑走部材の進行方向後方位置に横軸の廻りに回転する条間ロータを配置した構造のものが知られている。
【特許文献１】実開昭５６−８９３０５号公報
【発明の開示】
【発明が解決しようとする課題】
【０００３】
しかしながらこれら従来構造の場合、作物の条間に存在する除草は除去することができるものの、株間の除草ができないという不都合を有している。
【課題を解決するための手段】
【０００４】
本発明はこれらの不都合を解決することを目的とするもので、本発明のうちで、請求項１記載の発明は、走行枠体の進行方向先端部に作物の条間を滑走可能な滑走部材を配置し、該滑走部材の進行方向後方位置に作物の条間に存在する雑草を除草可能な条間ロータを回転自在に配置してなり、上記滑走部材と上記条間ロータとの中間位置に上記作物の株間に存在する雑草を除草可能な株間ロータを配設してなることを特徴とする中耕除草機にある。
【０００５】
又、請求項２記載の発明にあっては、上記株間ロータは上記作物を境にして対向配置されていると共に該作物を境にして互いにハ状をなす縦軸の廻りにそれぞれ旋回自在に対設されていることを特徴とするものであり、又、上記各株間ロータは、上記縦軸の廻りに旋回するロータ材を設け、該ローター材に放射状に複数個の羽根材を突設し、該複数個の羽根材の先端部間に弾性をもつ弾性帯材を多角環状に囲繞架設してなることを特徴とするものであり、又、請求項４記載の発明は、上記弾性帯体は、ゴム帯板からなることを特徴とするものである。
【０００６】
又、請求項５記載の発明は、上記条間ロータは、横軸の廻りに回転する多角筒体を設け、該多角筒体の周面に開口部を形成すると共に複数個の回転羽根材を突設してなることを特徴とするものである。
【発明の効果】
【０００７】
本発明は上述の如く、請求項１記載の発明にあっては、走行枠体を走行させると、進行方向先端部の滑走部材は作物の条間を滑走すると共に条間ロータは田土の抵抗を受けて自転して作物の条間に存在する雑草を除草することになり、かつ、滑走部材と条間ロータとの中間位置の株間ロータも田土の抵抗を受けて相互に異方向に自転して上記作物の株間に存在する雑草を除草することになり、このため、作物の条間及び株間に存在する雑草を除去することができ、良好な中耕除草作業を行うことができる。
【０００８】
又、請求項２記載の発明にあっては、上記株間ロータは上記作物を境にして対向配置されていると共に作物を境にして互いにハ状をなす縦軸の廻りにそれぞれ旋回自在に対設されているので、株間ロータの対向部分が田土から抵抗を受けることになり、が確実になされ、株間ロータを良好に回転させることができ、又、請求項３記載の発明にあっては、上記各株間ロータは、上記縦軸の廻りに旋回するロータ材を設け、ローター材に放射状に複数個の羽根材を突設し、複数個の羽根材の先端部間に弾性をもつ弾性帯材を多角環状に囲繞架設してなるから、株間ロータの相互異方向自転により田土が互いに内側へと寄せられるとき、弾性帯材は田土の抵抗を受けて凹状に凹んだり、自己弾性に平板状に復元したりする挙動をなすことになり、たとえば、弾性帯材に代えて、弾性のない鉄板を使用したとすると、全く凹まない田土が速やかに逃げてしまうことになるが、この場合、弾性帯材が田土の抵抗を受けて凹状に凹むことにより田土が速やかに逃げることを防ぐ作用がなされ、土寄せが良好に行われ、この土寄せにより株間や株際の雑草を良好に掻き取って除草することができ、又、請求項５記載の発明にあっては、上記弾性帯体は、ゴム帯板からなるので、良好な弾性復元作用を得ることができると共に経済性を高めることができる。
【０００９】
又、請求項５記載の発明にあっては、上記条間ロータは、横軸の廻りに回転する多角筒体を設け、多角筒体の周面に開口部を形成すると共に複数個の回転羽根材を突設してなるから、条間に存在する雑草を良好に除去することができる。
【発明を実施するための最良の形態】
【００１０】
図１乃至図１２は本発明を手押し式水田用中耕除草機に適用した実施の形態例を示し、１は走行枠体であって、この場合、手押し用の把柄からなり、走行枠体１の進行方向先端部に水稲である作物Ｗの条間Ｂを滑走可能な橇板状の一対の滑走部材２・２を作物Ｗを境に対向配置し、この一対の滑走部材２・２の進行方向後方位置に作物Ｗの条間Ｂに存在する雑草Ｋを除草可能な条間ロータ３・３を回転自在に配置し、かつ、この滑走部材２・２と条間ロータ３・３との中間位置に作物Ｗの株間Ｄに存在する雑草Ｆを除草可能な一対の株間ロータ４・４を配設して構成している。
【００１１】
この場合、手押し用の把柄である走行枠体１に一対の支持杆１ａ・１ａを取付け、各支持杆１ａ・１ａの先端部に滑走部材２・２を取付け、各支持杆１ａ・１ａの後端部に横軸３ａにより六角筒状の多角筒体３ｂを横廻り回転自在に設け、多角筒体３ｂの周面に開口部３ｃを形成すると共に多角筒体３ｂの周面に複数個の回転羽根材３ｄを突設し、各支持杆１ａ・１ａの滑走部材２・２と条間ロータ３・３との中間位置に株間ロータ４・４を設けて構成している。
【００１２】
又、この場合、上記株間ロータ４・４は、上記各支持杆１ａ・１ａに上記作物Ｗを境にして対向配置され、各支持杆１ａ・１ａに支持片１ｂ・１ｂを介して作物Ｗを境にして互いに水平に対してそれぞれ振り分け角度約１０度から２０度、この場合１５度の傾きでハ状をなす縦軸４ａ・４ａを縦設し、この縦軸４ａ・４ａにロータ材４ｂ・４ｂを旋回自在に設け、ローター材４ｂ・４ｂに放射状に複数個、この場合、六個の羽根材４ｃ・４ｃを突設し、この複数個の羽根材４ｃ・４ｃの先端部間にＵ状の止め杆４ｄにより、この場合、ゴム帯板からなる弾性をもつ弾性帯材５を多角環状に囲繞架設して構成している。
【００１３】
この実施の形態例は上記構成であるから、この場合、水田において、作業者が走行枠体１を把手して押進動すると、進行方向先端部の滑走部材２・２は作物Ｗの条間Ｂを滑走すると共に条間ロータ３・３は田土の抵抗を受けて自転して作物Ｗの条間に存在する雑草Ｆを除草することになり、かつ、滑走部材２・２と条間ロータ３・３との中間位置の株間ロータ４・４も田土の抵抗を受けて相互に異方向に自転して上記作物Ｗの株間Ｄに存在する雑草Ｆを除草することになり、このため、作物Ｗの条間Ｂ及び株間Ｄに存在する雑草を除去することができ、良好な中耕除草作業を行うことができる。
【００１４】
又、この場合、上記株間ロータ４・４は上記作物Ｗを境にして対向配置されていると共に作物Ｗを境にして互いにハ状をなす縦軸４ａの廻りにそれぞれ旋回自在に対設されているので、株間ロータ４・４の対向部分が田土から抵抗を受けることになり、が確実になされ、株間ロータ４・４を良好に回転させることができる。
【００１５】
又、この場合、上記各株間ロータ４・４は、上記縦軸４ａの廻りに旋回するロータ材４ｂを設け、ローター材４ｂに放射状に複数個の羽根材４ｃを突設し、複数個の羽根材４ｃの先端部間に弾性をもつ弾性帯材５を多角環状に囲繞架設してなるから、図１２に示す如く、株間ロータ４・４の相互異方向自転により田土が互いに内側へと寄せられるとき、弾性帯材５は田土の抵抗を受けて凹状に凹んだり、自己弾性に平板状に復元したりする挙動をなすことになり、たとえば、弾性帯材５に代えて、弾性のない鉄板を使用したとすると、全く凹まない田土が速やかに逃げてしまうことになるが、この場合、弾性帯材５が田土の抵抗を受けて凹状に凹むことにより田土が速やかに逃げることを防ぐ作用がなされ、土寄せが良好に行われ、この土寄せにより株間や株際の雑草を良好に掻き取って除草することができ、又、この場合、上記弾性帯体５は、ゴム帯板からなるので、良好な弾性復元作用を得ることができると共に経済性を高めることができる。
【００１６】
又、この場合、上記条間ロータ４・４は、横軸の廻りに回転する多角筒体３ｂを設け、多角筒体３ｂの周面に開口部３ｃを形成すると共に複数個の回転羽根材３ｄを突設してなるから、条間Ｂに存在する雑草Ｆを良好に除去することができる。
【００１７】
尚、本発明は上記実施の形態例に限られるものではなく、例えば、手押し式に代えて、走行枠体１をトラクタ等の機械に連結したりすることもでき、又、走行枠体１、滑走部材２。条間ロータ、株間ロータの構造や形態、等は適宜変更して設計されるものである。
【００１８】
以上、所期の目的を充分達成することができる。
【図面の簡単な説明】
【００１９】
【図１】本発明の実施の形態例の全体斜視図である。
【図２】本発明の実施の形態例の全体平面図である。
【図３】本発明の実施の形態例の部分側面図である。
【図４】本発明の実施の形態例の部分前断面図である。
【図５】本発明の実施の形態例の部分前面図である。
【図６】本発明の実施の形態例の部分断面図である。
【図７】本発明の実施の形態例の部分前面図である。
【図８】本発明の実施の形態例の部分断面図である。
【図９】本発明の実施の形態例の使用状態の前面図である。
【図１０】本発明の実施の形態例の使用状態の前面図である。
【図１１】本発明の実施の形態例の使用状態の前面図である。
【図１２】本発明の実施の形態例の使用状態の説明平面図である。
【符号の説明】
【００２０】
Ｂ    条間
Ｄ    株間
Ｆ    雑草
１    走行枠体
２    滑走部材
３    条間ロータ
３ｂ    多角筒体
３ｃ    開口部
３ｄ    回転羽根材
４    株間ロータ
５    弾性帯体
【図１】
2007089485.tif 000003
【図２】
2007089485.tif 000004
【図３】
2007089485.tif 000005
【図４】
2007089485.tif 000006
【図５】
2007089485.tif 000007
【図６】
2007089485.tif 000008
【図７】
2007089485.tif 000009
【図８】
2007089485.tif 000010
【図９】
2007089485.tif 000011
【図１０】
2007089485.tif 000012
【図１１】
2007089485.tif 000013
【図１２】
2007089485.tif 000014